(57)【要約】【課題】  画像形成プロセスにおける最適な印加電圧を決定可能な画像形成装置を提供すること。【解決手段】  帯電部材（帯電ローラ１１０）と、露光部（レーザー露光装置１２０）と、現像部材（現像ローラ１３０）と、転写部材（転写ローラ１４０）と、転写バイアス印加部（転写バイアス印加部２４０）と、転写バイアス印加部によって転写部材に２以上の電圧を印加したときに転写部材に流れる電流を検出可能に構成された電流検出部（電流検出部２５０）と、転写バイアス印加部によって印加された電圧と、前記電流検出部によって検出された電流との組み合わせに応じて、予め定められた電圧決定テーブルに基づいて、画像形成時の帯電電位及び現像バイアスを決定可能に構成された電圧決定部（制御部３００）と、を備えることを特徴とする画像形成装置を提供する。【選択図】  図１
2015191079.tif 000002
【特許請求の範囲】
【請求項１】
帯電電位が印加され、像担持体に帯電させることができるよう構成された帯電部材と、
前記像担持体に露光可能に構成された露光部と、
現像バイアスが印加され、露光状況に応じて前記像担持体にトナー像を形成可能に構成された現像部材と、
転写バイアスが印加され、前記像担持体のトナー像を記録媒体に転写可能に構成された転写部材と、
前記転写部材に所定の電圧を印加可能に構成された転写バイアス印加部と、
前記転写バイアス印加部によって前記転写部材に２以上の電圧を印加したときに前記転写部材に流れる電流を検出可能に構成された電流検出部と、
前記転写バイアス印加部によって印加された電圧と、前記電流検出部によって検出された電流との組み合わせに応じて、予め定められた電圧決定テーブルに基づいて、画像形成時の帯電電位及び現像バイアスを決定可能に構成された電圧決定部と、を備える
ことを特徴とする画像形成装置。
【請求項２】
前記帯電部材は、前記像担持体に接触して帯電させる
ことを特徴とする請求項１に記載の画像形成装置。
【請求項３】
前記転写バイアス印加部は、定電圧源を含んで構成される
ことを特徴とする請求項１または請求項２に記載の画像形成装置。
【請求項４】
周辺温度を検出可能な温度計をさらに備え、
前記電圧決定部は、前記転写バイアス印加部によって印加された電圧と、前記電流検出部によって検出された電流と、前記温度計で検出された温度との組み合わせに応じて、予め定められた電圧決定テーブルに基づいて、画像形成時の帯電電位及び現像バイアスを決定可能に構成されている
ことを特徴とする請求項１乃至請求項３のいずれか１項に記載の画像形成装置。
【発明の詳細な説明】
【技術分野】
【０００１】
本発明の一態様は、転写部材を用いて像担持体に形成されたトナー像を媒体に転写する画像形成装置に関する。
【背景技術】
【０００２】
電子写真方式のレーザービームプリンタ等の画像形成装置では、像担持体と呼ばれる感光ドラムを利用し、帯電、露光、現像、転写、及び定着のプロセスを経て、媒体である紙などにトナーによる像を作ることで、画像形成（印刷）を実行している。
【０００３】
この画像形成のプロセスでは、温度及び湿度などの環境の変化によってトナー及びその他の構成の状態が変化し、媒体に形成される画像にばらつきが生じることがあった。この形成画像のばらつきの種類としては、黒く塗りつぶされる箇所にまばらな白抜きが発生したり、印刷全体が薄くなったりするものがあった。これらの形成画像のばらつきに対応するため、環境に応じて印加電圧を変化させる画像形成装置があった。
【０００４】
ところで、特許文献１には、検知した温度及び湿度の環境に応じて画像形成時の定電圧電源の出力電圧を決定する画像形成装置について開示されている。
【先行技術文献】
【特許文献】
【０００５】
【特許文献１】特開２００２−１３２０６９号公報
【発明の概要】
【発明が解決しようとする課題】
【０００６】
しかしながら、特許文献１を含む上記従来の構成では、画像形成のプロセスにおける簡単かつ適切な印加電圧の決定について十分適切であるとはいえず、形成画像のばらつきに対応するためのさらなる改善が必要であった。
【０００７】
本発明は、上記課題を解決するためになされたものであり、画像形成のプロセスにおける比較的簡単な構成でかつ最適な印加電圧の決定が可能な画像形成装置を提供することを目的のひとつとする。
【課題を解決するための手段】
【０００８】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００９】
本発明の手段１は、
帯電電位が印加され、像担持体（感光ドラム１００）に帯電させることができるよう構成された帯電部材（帯電ローラ１１０）と、
前記像担持体に露光可能に構成された露光部（レーザー露光装置１２０）と、
現像バイアスが印加され、露光状況に応じて前記像担持体にトナー像を形成可能に構成された現像部材（現像ローラ１３０）と、
転写バイアスが印加され、前記像担持体のトナー像を記録媒体に転写可能に構成された転写部材（転写ローラ１４０）と、
前記転写部材に所定の電圧を印加可能に構成された転写バイアス印加部（転写バイアス印加部２４０）と、
前記転写バイアス印加部によって前記転写部材に２以上の電圧を印加したときに前記転写部材に流れる電流を検出可能に構成された電流検出部（電流検出部２５０）と、
前記転写バイアス印加部によって印加された電圧と、前記電流検出部によって検出された電流との組み合わせに応じて、予め定められた電圧決定テーブルに基づいて、画像形成時の帯電電位及び現像バイアスを決定可能に構成された電圧決定部（制御部３００）と、を備える
ことを特徴とする画像形成装置である。
【００１０】
上記の構成によれば、２以上の電圧を転写部材に印加して検出された電流値に基づいて帯電電位及び現像バイアスを決定可能にしている。これにより、黒く塗りつぶされる箇所にまばらな白抜きが発生したり、印刷全体が薄くなったりする画像形成のばらつきを抑え、画像形成の品質を効果的に向上されることが可能となる。
【００１１】
本発明の手段２は、
前記帯電部材は、前記像担持体に接触して帯電させる
ことを特徴とする手段１に記載の画像形成装置である。
【００１２】
画像形成装置には、帯電部材が像担持体に接触して帯電させる接触型と、帯電部材が像担持体に接触せずに帯電させる非接触型との２種類の方式がある。実験によれば、接触型の画像形成装置において、媒体上で黒く塗りつぶされるべき箇所にまばらな白抜きが発生する現象が発生しやすいことが判った。
【００１３】
そこで、上記のような接触型の画像形成装置において本発明の構成を適用することによって、媒体上で黒く塗りつぶされるべき箇所にまばらな白抜きが発生する現象を効果的に抑制することが可能となる。
【００１４】
本発明の手段３は、
前記転写バイアス印加部は、定電圧源を含んで構成される
ことを特徴とする上記いずれかの画像形成装置である。
【００１５】
上記の構成によれば、比較的簡単な構成で画像形成のばらつきを抑制した画像形成装置を提供することが可能となる。
【００１６】
本発明の手段４は、
周辺温度を検出可能な温度計（温度計４００）をさらに備え、
前記電圧決定部は、前記転写バイアス印加部によって印加された電圧と、前記電流検出部によって検出された電流と、前記温度計で検出された温度との組み合わせに応じて、予め定められた電圧決定テーブルに基づいて、画像形成時の帯電電位及び現像バイアスを決定可能に構成されている
ことを特徴とする上記いずれかの画像形成装置である。
【００１７】
上記の構成によれば、転写ローラへの電圧印加で検出された電流のみならず、周辺温度をも考慮して帯電電位及び現像バイアスを決定しているため、より精度の高い帯電電位及び現像バイアスの決定が可能となる。ひいては、画像形成のばらつきをさらに抑制した画像形成装置を提供することが可能となる。
【図面の簡単な説明】
【００１８】
【図１】実施形態１の画像形成装置の構成を示す図。
【図２】環境と転写ローラの抵抗値との関係を示す図。
【図３】転写ローラへの印加電圧と検出電流との関係を示す図。
【図４】電流検出時の転写ローラへの電圧印加の時間経過を示す図。
【図５】環境と検出電流差との関係を示す図。
【図６】環境条件ごとに採用される帯電電位と現像バイアスとの組み合わせを示す図。
【図７】実施形態２の画像形成装置の構成を示す図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）画像形成装置の構成
（２）環境と転写ローラとの関係
（３）帯電電位と現像バイアスとの決定処理
（４）画像形成装置の特徴
２．実施形態２
３．補足事項
【００２０】
＜１．実施形態１＞
まず、本発明の実施形態１について、図１乃至図６を参照しながら説明する。
【００２１】
＜（１）画像形成装置の構成例＞
図１は、本実施形態の画像形成装置の構成を示す図である。図１に示すように、本実施形態の画像形成装置は、感光ドラム１００、帯電ローラ１１０、レーザー露光装置１２０、現像ローラ１３０、転写ローラ１４０、帯電電位印加部２１０、現像バイアス印加部２３０、転写バイアス印加部２４０、電流検出部２５０、及び制御部３００を含んで構成される。この画像形成装置では、図中の矢印１５０の方向に移動する紙などの媒体に対して、トナーによる画像を形成する。なお、本実施形態の画像形成装置は、所謂レーザービームプリンタである。また、ここでのトナーによる画像形成は、一般的には印刷と呼ばれることがある。
【００２２】
＜感光ドラム１００＞
感光ドラム１００は、円筒状の基体の外周面に感光層が形成されて構成される。基体はアルミニウムなどの導電体で構成され、芯部で接地されている。感光層は、無機または有機材料によって形成される。
【００２３】
＜帯電ローラ１１０＞
帯電ローラ１１０は、感光ドラム１００に圧接するように接触した状態で配置され、円筒状の導電体によって形成される。帯電ローラ１１０は、感光ドラム１００の回転に伴い回転するよう構成される。帯電ローラ１１０は、後述の帯電電位印加部２１０によって所定の帯電電位を印加可能に構成される。帯電ローラ１１０と感光ドラム１００とが互いに回転しながら、帯電電位印加部２１０が帯電ローラ１１０に所定の帯電電位を印加することで、感光ドラム１００の外周面を含む部分が所定の極性の所定電位に一様に帯電される。
【００２４】
＜レーザー露光装置１２０＞
レーザー露光装置１２０は、感光ドラム１００に対して、媒体上に形成する画像に応じたレーザー光を照射可能に構成される。レーザー露光装置１２０によってレーザーが照射された感光ドラム１００の外周面の感光層は露光され、潜像が形成される。
【００２５】
＜現像ローラ１３０＞
現像ローラ１３０は、外周面にトナー層が形成された状態で回転可能な円筒状の導電体によって形成される。現像ローラ１３０は、感光ドラム１００の回転に伴い回転するよう構成される。現像ローラ１３０は、後述の現像バイアス印加部２３０によって現像バイアスが印加可能に構成される。現像ローラ１３０と感光ドラム１００とが互いに回転しながら、現像バイアス印加部２３０が現像ローラ１３０に所定の現像バイアスを印加することで、感光ドラム１００の外周面には、潜像に応じたトナー像が形成される。
【００２６】
＜転写ローラ１４０＞
転写ローラ１４０は、導電体によって形成された軸部と、その外周に形成された導電性のゴム部とによって構成される。ゴム部は、ウレタン、またはシリコンなどのゴム材料に導電材料が混ぜられた物質により形成されている。転写ローラ１４０は、感光ドラム１００の回転に伴い回転するよう構成されている。転写ローラ１４０と感光ドラム１００との間には、紙などの記録媒体が挟み込まれ、この記録媒体は矢印１５０の方向に移動可能に構成されている。転写ローラ１４０は、後述の転写バイアス印加部２４０によって転写バイアスが印加可能に構成される。トナー像が形成された感光ドラム１００と転写ローラ１４０が互いに回転しながら、転写バイアス印加部２４０が転写ローラ１４０に所定の転写バイアスを印加することで、紙などの記録媒体にトナー像が転写される。これによって、記録媒体に対してトナーによる画像を形成可能である。記録媒体に形成されたトナー像は、定着装置（図示せず）により定着され、これによって画像形成が完成する。
【００２７】
＜帯電電位印加部２１０＞
帯電電位印加部２１０は、帯電ローラ１１０に対して所定の帯電電位を印加可能に構成される。帯電電位印加部２１０が帯電ローラ１１０に印加する帯電電位は、環境に応じて変化するよう、制御部３００によって決定される。
【００２８】
＜現像バイアス印加部２３０＞
現像バイアス印加部２３０は、現像ローラ１３０に対して所定の現像バイアスを印加可能に構成される。現像バイアス印加部２３０が現像ローラ１３０に印加する現像バイアスは、環境に応じて変化するよう、制御部３００によって決定される。
【００２９】
＜転写バイアス印加部２４０＞
転写バイアス印加部２４０は、転写ローラ１４０に対して所定の転写バイアスを印加可能に構成される。転写バイアス印加部２４０は、定電圧源を含んで構成されており、転写ローラ１４０に対して、上記の転写バイアス以外に、予め決められた２以上の所定の電圧を印加可能に構成される。
【００３０】
＜電流検出部２５０＞
電流検出部２５０は、転写バイアス印加部２４０によって転写ローラ１４０に転写バイアスが印加された際に転写ローラ１４０に流れる電流を検出可能に構成される。電流検出部２５０は、このように検出した電流値を制御部３００に対して出力可能に構成される。
【００３１】
＜制御部３００＞
制御部３００は、帯電電位印加部２１０が帯電ローラ１１０に印加する帯電電位、現像バイアス印加部２３０が現像ローラ１３０に印加する現像バイアス、及び転写バイアス印加部２４０が転写ローラ１４０に印加する転写バイアスのそれぞれの電圧を制御可能に構成される。制御部３００は、電流検出部２５０から入力された転写ローラ１４０に流れる電流に応じて、少なくとも帯電電位及び現像バイアスを変化させる制御を実行可能に構成される。このとき、制御部３００は、転写バイアス印加部２４０によって印加された２以上の電圧と、電流検出部２５０によって検出された電流値との組み合わせに基づき、予め制御部３００のメモリに記録された電圧決定テーブルを参照して、帯電電位及び現像バイアスを決定可能に構成される。具体的な処理については後述する。
【００３２】
＜（２）環境と転写ローラとの関係＞
次に、実験によって検証された、画像形成時の環境と転写ローラの抵抗値との関係について、図２及び図３を参照しながら説明する。
【００３３】
図２は、環境と転写ローラの抵抗値との関係を示す図である。図２では、３種類の温度と湿度との環境、具体的には、高温高湿（ＨＨ）、中温中湿（ＭＭ）、及び低温低湿（ＬＬ）の３つの状態において、転写ローラ１４０の抵抗値がどのように変化するのか、実験を行った結果を示している。実験の結果、図２に示すように、低温低湿（ＬＬ）の環境において転写ローラ１４０の抵抗値は最も高くなり、中温中湿（ＭＭ）、及び高温高湿（ＨＨ）と、温度と湿度とが高くなるにつれて抵抗値が低くなる結果となった。
【００３４】
上記の実験結果から、低温低湿（ＬＬ）、中温中湿（ＭＭ）、及び高温高湿（ＨＨ）の順に転写ローラ１４０の抵抗値が低くなり、同じ電圧を印加した際に流れる電流値が増えることが理解される。
【００３５】
図３は、転写ローラへの印加電圧と、検出電流との関係を示す図である。図３で示した実験結果は、低温低湿（ＬＬ）、中温中湿（ＭＭ）、及び高温高湿（ＨＨ）の３条件の下で、転写ローラ１４０に対して８通りの電圧を印加し、それぞれ転写ローラ１４０に流れた電流を検出した結果を示している。図３に示されるように、各環境下では、印加電圧と検出電流との間には比例関係がみられ、これによって、同環境下では転写ローラ１４０の抵抗値は変わらないことが理解される。
【００３６】
＜（３）帯電電位と現像バイアスとの決定処理＞
次に、図４乃至図６を参照しながら、帯電電位と現像バイアスとの決定処理について説明する。
【００３７】
図４は、帯電電位と現像バイアスとの決定処理を行うため、電流検出部２５０による電流検出をするときの、転写バイアス印加部２４０が転写ローラ１４０に印加する電圧の時間変化を示す図である。図４に示すように、転写バイアス印加部２４０は、転写電圧Ｖ１と転写電圧Ｖ２とを、所定期間のインターバルを挟みつつ所定期間ずつ転写ローラ１４０に印加する。このインターバルは例えば３０ｍｓであり、３０ｍｓ毎に、電圧Ｖ２の印加、インターバル、電圧Ｖ１の印加、が行われる。電流検出部２５０は、図４中に示した１回目の測定、及び２回目の測定のタイミングで、転写ローラ１４０に流れる電流を検出する。電流検出部２５０によって検出された電流値は、制御部３００に出力される。
【００３８】
制御部３００は、電流検出部２５０から２回の検出時のそれぞれの電流値を受け取ると、これらの２回の検出時の電流差を算出する。ここで、電流検出部２５０で検出される電流は、環境によって変化する転写ローラ１４０の抵抗値と、転写バイアス印加部２４０によって印加される電圧とによって決定されるため、ここで算出された電流差は、環境によって変化する抵抗値を反映することとなる。
【００３９】
図５は、環境と検出電流差との関係を示す図である。図５には、高温高湿（ＨＨ）、中温中湿（ＭＭ）、及び低温低湿（ＬＬ）のそれぞれの環境下で複数回の実験を行った結果を示している。図５に示されるように、各環境下において算出される検出電流差には一定の範囲があるため、検出電流差に基づいて環境を特定可能であることが分かる。具体的には、図５に点線で示した２つの閾値を利用することで、検出電流差に基づいて３通りの環境を把握可能である。
【００４０】
このように、制御部３００は、電流検出部２５０から受け取った２回の検出時の電流値に基づいて算出された電流差に基づいて、環境を高温高湿（ＨＨ）、中温中湿（ＭＭ）、または低温低湿（ＬＬ）のいずれであるかを特定可能である。そして、図６に示す、あらかじめ準備され制御部３００のメモリに記録された電圧決定テーブルを参照し、環境に応じた帯電電位及び現像バイアスを決定する。ここで決定された帯電電位及び現像バイアスは、それ以降の画像形成時に、それぞれ帯電電位印加部２１０及び現像バイアス印加部２３０によって採用される。
【００４１】
＜（４）画像形成装置の特徴＞
以上、説明したような構成と動作とによって、帯電電位印加部２１０が帯電ローラ１１０に印加する帯電電位、及び現像バイアス印加部２３０が現像ローラ１３０に印加する現像バイアスが決定される。すなわち、本実施形態の画像形成装置では以下のような特徴を持つ。
【００４２】
本実施形態の画像形成装置は、帯電電位が印加され、像担持体（感光ドラム１００）に帯電させることができるよう構成された帯電部材（帯電ローラ１１０）と、像担持体に露光可能に構成された露光部（レーザー露光装置１２０）と、現像バイアスが印加され、露光状況に応じて前記像担持体にトナー像を形成可能に構成された現像部材（現像ローラ１３０）と、転写バイアスが印加され、像担持体のトナー像を記録媒体に転写可能に構成された転写部材（転写ローラ１４０）と、転写部材に所定の電圧を印加可能に構成された転写バイアス印加部（転写バイアス印加部２４０）と、転写バイアス印加部によって転写部材に２以上の電圧を印加したときに転写部材に流れる電流を検出可能に構成された電流検出部（電流検出部２５０）と、転写バイアス印加部によって印加された電圧と、電流検出部によって検出された電流との組み合わせに応じて、予め定められた電圧決定テーブルに基づいて、画像形成時の帯電電位及び現像バイアスを決定可能に構成された電圧決定部（制御部３００）と、を備えている。
【００４３】
上記の画像形成装置によれば、２以上の電圧を転写部材（転写ローラ１４０）に印加して検出された電流値に基づいて帯電電位及び現像バイアスを決定可能にしている。これにより、黒く塗りつぶされる箇所にまばらな白抜きが発生したり、印刷全体が薄くなったりする画像形成のばらつきを抑え、画像形成の品質を効果的に向上されることが可能となる。
【００４４】
また、本実施形態の画像形成装置において、帯電部材は、像担持体に接触して帯電させることを特徴としている。
【００４５】
画像形成装置には、帯電部材が像担持体に接触して帯電させる接触型と、帯電部材が像担持体に接触せずに帯電させる非接触型との２種類の方式がある。発明者らの実験によれば、接触型の画像形成装置において、媒体上で黒く塗りつぶされるべき箇所にまばらな白抜きが発生する現象が発生しやすいことが判った。
【００４６】
そこで、本実施形態のような接触型の画像形成装置において本発明の構成を適用することによって、媒体上で黒く塗りつぶされるべき箇所にまばらな白抜きが発生する現象を効果的に抑制することが可能となる。
【００４７】
なお、非接触型の画像形成装置においても一定の効果を得ることができるため、非接触型の画像形成装置を除外する趣旨ではない。
【００４８】
また本実施形態の画像形成装置において、転写バイアス印加部は、定電圧源を含んで構成されることを特徴としている。
【００４９】
このような構成によれば、比較的簡単な構成で画像形成のばらつきを抑制した画像形成装置を提供することが可能となる。
【００５０】
また、本実施形態の画像形成装置では、他の部材ではなく、転写部材（転写ローラ１４０）に対して電圧を印加して検出された電流の値を利用して、帯電電位及び現像バイアスを決定している。このように、転写部材（転写ローラ１４０）を対象として電圧の印加と電流の検出を行っているのは、他の部材、例えば帯電ローラ１１０と比較しても、環境変化による抵抗値の変化が大きいためであり、転写ローラ１４０を対象として電圧の印加を電流の検出を行うことにより、精度よく環境変化を検出することができる。
【００５１】
＜２．実施形態２＞
次に、本発明の実施形態２について、図７を参照しながら説明する。本実施形態は、実施形態１と比較して、温度計４００をさらに備える構成である点で相違しており、また、温度計４００を利用した処理が追加されている。以下の説明では、実施形態１との相違点についてのみ具体的に説明し、同様の機能や処理についてはその説明を省略する。
【００５２】
図７は、本実施形態の画像形成装置の構成を示す図である。図７に示すように、本実施形態の画像形成装置は、感光ドラム１００、帯電ローラ１１０、レーザー露光装置１２０、現像ローラ１３０、転写ローラ１４０、帯電電位印加部２１０、現像バイアス印加部２３０、転写バイアス印加部２４０、電流検出部２５０、及び制御部３００といった実施形態１の画像形成装置が含む構成に加え、温度計４００をさらに含んで構成される。
【００５３】
＜温度計４００＞
温度計４００は、感光ドラム１００などの近傍に配置され、配置された周辺の温度を検出可能に構成される。温度計４００は、例えば、画像形成装置に内蔵された、電源回路やマイコンなどが搭載されたメインボードの、マイコンに内蔵された温度計を利用する。温度計４００は、検出された周辺温度の情報を制御部３００に対して出力可能に構成される。
【００５４】
＜制御部３００＞
制御部３００は、上記のように温度計から周辺温度に関する情報を受け取ることができるよう構成される。制御部３００は、温度計４００から入力された周辺温度情報と、電流検出部２５０から入力された転写ローラ１４０に流れる電流と、に応じて、帯電電位及び転写バイアスを変化させる制御を実行可能に構成される。
【００５５】
上記のように、本実施形態の画像形成装置は、実施形態１の構成に加え、周辺温度を検出可能な温度計（温度計４００）をさらに備え、電圧決定部（制御部３００）は、転写バイアス印加部（転写バイアス印加部２４０）によって印加された電圧と、電流検出部（電流検出部２５０）によって検出された電流と、温度計で検出された温度との組み合わせに応じて、予め定められた電圧決定テーブルに基づいて、画像形成時の帯電電位及び現像バイアスを決定可能に構成されている。
【００５６】
上記の構成によれば、検出された電流のみならず、周辺温度をも考慮して帯電電位及び現像バイアスを決定しているため、より精度の高い帯電電位及び現像バイアスの決定が可能となる。ひいては、画像形成のばらつきをさらに抑制した画像形成装置を提供することが可能となる。
【００５７】
＜３．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００５８】
上記実施形態では、環境の変化に応じて帯電電位と現像バイアスとを変化させる例について説明したが、これら以外の印加電圧なども合わせて変化させてもよい。
【００５９】
また、上記実施形態では、２通りの電圧を転写ローラ１４０に印加して流れる電流を検出する例について説明したが、３以上の異なる電圧を転写ローラ１４０に印加して流れる電流を検出してもよい。
【００６０】
また、上記実施形態では、３通りの環境として高温高湿（ＨＨ）、中温中湿（ＭＭ）、及び低温低湿（ＬＬ）を採用し、それぞれに対応する帯電電位及び現像バイアスを設定していたが、環境と対応する帯電電位及び現像バイアスの組み合わせは４通り以上としてもよい。ただし、この場合であっても、制御部３００は、印加電圧と電流との組み合わせによって、帯電電位及び現像バイアスを決定する。
【００６１】
また、上記実施形態において、転写ローラ１４０への電圧印加と電流検出による帯電電位及び現像バイアスの決定処理を、画像形成の実行開始毎に行うことが好ましい。これによれば、前の印刷時から環境が変化していた場合であっても、今回の画像形成開始時の環境に応じて適切な帯電電位及び現像バイアスを利用した画像形成の実行が可能となる。
【００６２】
また、第２実施形態における温度計４００は、マイコンとは別の構成として設けられてもよい。
【産業上の利用可能性】
【００６３】
本発明は、画像形成装置としての印刷機器に好適に適用される。
【符号の説明】
【００６４】
１００…感光ドラム
１１０…帯電ローラ
１２０…レーザー露光装置
１３０…現像ローラ
１４０…転写ローラ
１５０…矢印
２１０…帯電電位印加部
２３０…現像バイアス印加部
２４０…転写バイアス印加部
２５０…電流検出部
３００…制御部
４００…温度計
【図１】
2015191079.tif 000003
【図２】
2015191079.tif 000004
【図３】
2015191079.tif 000005
【図４】
2015191079.tif 000006
【図５】
2015191079.tif 000007
【図６】
2015191079.tif 000008
【図７】
2015191079.tif 000009